(57)【要約】【課題】  操作パネルに表示される操作キーが小さいと、所定の操作キーが表示されている位置を指で押下すると、他の操作キーが表示されている位置も押下してしまう。このような場合、どの位置を押下すれば所定の操作キーが押下されたことが表示パネルを実装する画像処理装置に認識されるのか分からないので、ユーザは、画像処理装置が所定の操作キーが押下されたことを認識するまで何度も操作パネルを押下する必要がある。【解決手段】本発明の表示装置は、表示パネルに押下された位置を検知する位置検知手段を備える。位置検知手段は、表示パネルが押下されてから押下が終わるまでの間、押下された位置を検知する。表示パネルには、検知された位置に応じた操作キーが表示される。表示パネルの押下が終わるまでの間に検知された位置が移動すると、上記表示パネルに表示される操作キーも移動後の位置に応じた操作キーが表示される。【選択図】図１
2005078342.tif 000002
【特許請求の範囲】
【請求項１】
複数の操作キーを表示する第１の領域と押下された上記操作キーを表示する第２の領域を具備する表示パネルを備えた表示装置において、
上記第１の領域のユーザが押下している位置を検知する位置検知手段と、
上記位置検知手段が位置の検知ができなくなった場合に、上記第２の領域に表示された操作キーに対応する処理を実行する実行手段と、
上記位置検知手段が位置の検知ができなくなるまで、上記位置検知手段が検知した位置の移動に応じて、上記第２の領域に表示する上記操作キーを変更する表示制御手段と
を備えたことを特徴とする表示装置。
【請求項２】
上記表示制御手段は、上記第２の領域に上記操作キーを拡大して表示する請求項１に記載の表示装置。
【発明の詳細な説明】
【技術分野】
【０００１】
本発明は、印刷、複写、原稿の読み取り等の機能を備えた画像処理装置に設けられる表示パネルの表示を制御する表示装置に関する。
【背景技術】
【０００２】
近年の画像処理装置は、印刷、複写、原稿の読み取りだけでなく、ネットワークに接続して様々な機能を提供することができる。画像処理装置の表示パネルには、このような多数の機能を実現するために多数の操作キーが表示される。
【０００３】
表示パネルの大きさに限度があるため、多数の操作キーを表示パネルに表示する場合、操作キーを小さくしなければならない。操作性を考慮して、操作キー上に操作キーの名前等が表示されているが、操作キーが小さいと、操作キー上に表示される操作キーの名前等が小さくなる。操作キーの名前が小さくなると、弱視のユーザは見難くなる。そのため、操作キーの名前等の表示があってもユーザによって表示パネルが操作し易すくなるとは限らない。
【０００４】
また、操作キーが小さくなると、ユーザが所望の操作キーが表示された位置を指で押下した場合、その操作キーの周りの操作キーが表示された位置も押下してしまう場合もある。このように、複数の操作キーを押下した場合、表示パネルを制御する表示装置に何の操作キーの押下があったことが認識されたのかユーザは確認することができない。
【０００５】
特表２００２−５００７８８号公報には、ユーザが操作キーを押下すると、操作キー及び、操作キーの名前が大きく表示される旨が記載されている。押下された操作キーが大きく表示されると、ユーザは、操作キーに表示される操作キーの名前等が大きく表示され、表示装置が押下されたと認識した操作キーが分かり易い。
【特許文献１】特表２００２−５００７８８号公報
【発明の開示】
【発明が解決しようとする課題】
【０００６】
しかし、操作キーを大きく表示すると、大きく表示しようとする操作キーが表示されていた位置と、その周囲の操作キーが表示されていた領域に表示装置が認識した操作キーが表示される。そのため、周囲の操作キーが見えなくなる。
【０００７】
更に、操作キーが小さいと、上記のように表示パネルを指で押下すると複数の操作キーが表示されている領域を押下してしまうことがある。そのため、表示パネルのどの辺りを指で押下すれば、所望する操作キーが押下されたことを表示装置が認識するのかユーザにとって分かり難くい。従って、ユーザが所望する操作キーを押下したつもりでも、表示装置が他の操作キーが押下されたと認識して、ユーザの所望しない操作キーが大きく表示されることがある。従って、ユーザの所望する操作キーが大きく表示されるまで、ユーザは、何度も表示パネルを押下しなければならない。
【０００８】
そこで、本発明は、小さい操作キーが表示される表示パネルの操作性を向上させる表示装置を提供することを目的とする。
【課題を解決するための手段】
【０００９】
本発明の表示装置は、第１の領域と第２の領域を具備する表示パネルを備える。上記第１の領域には、操作キーが表示される。表示装置は、表示パネルのユーザに押下された位置を検知する位置検知手段を備える。位置検知手段が検知した位置に応じた操作キーが上記第２の領域に表示される。
【００１０】
上記位置検知手段が位置の検知を開始してから検知ができなくなるまで、上記位置検知手段が検知した位置の移動に応じて上記第２の領域に表示する上記操作キーが変更される。例えば、ユーザが表示パネルを押下しながら指をスライドさせると、上記第２の領域に表示される操作キーがユーザの指の位置に応じて変更される。
【００１１】
上記位置検知手段が位置の検知ができなくなると、実行手段によって上記第２の領域に表示された操作キーに対応する処理が実行される。例えば、ユーザが操作パネルから指を離した場合、指を離す直前に第２の領域に表示されていた操作キーに対応する処理が実行される。
【発明の効果】
【００１２】
ユーザは、指をスライドさせながら所望の操作キーが表示されるかどうか確認することで、所望の操作キーが押下されたことが表示装置に認識されたかどうかが分かる。
【００１３】
また、所望の操作キーが表示された時に、操作パネルから指を離すと、所望の操作キーに対応する処理が実行されるので、ユーザは所望の操作キーに対応する処理を表示装置に実行させることが容易である。
【発明を実施するための最良の形態】
【００１４】
本実施の形態においては、本発明の表示装置１００は、画像読処理装置に実装されている。この画像処理装置は、印刷、複写、原稿の読み取り、文書管理等を行うことができる。
【００１５】
図１は表示装置１００の制御構成を示すブロック図である。表示装置１００は、印刷、複写、原稿の読み取り、文書管理等の指示を入力するための操作キーを表示する操作パネル１０１を備える。
【００１６】
上記操作パネル１０１は、図２に示すように第１の領域１０２と第２の領域１０３を具備する。第１の領域１０２は、複数の操作キーが表示される。各操作キー上には、操作キーの名前が表示される。
【００１７】
例えば、ユーザは、文書管理キー１０４ａを操作する場合、第１の領域１０２の文書管理キー１０４ａが表示されている位置を指で押下する。上記表示パネル１０１が押下されると、位置検知手段１２１が押下された位置を検知する（図３、Ｓ３０１）。上記位置検知手段１２１は、検知した位置に基づいて、押下された操作キーを特定する。上記位置検知手段１２１は、各操作キーと各操作キーの位置情報を対応付けて記憶している。上記位置検知手段１２１は、検知した位置と各操作キーの位置情報とに基づいて、押下された操作キーが文書管理キー１０４ａであることを特定する。
【００１８】
ユーザが文書管理キー１０４ａに表示された位置を押下して直ぐに指を離した場合、上記位置検知手段１２１は、位置の検知を短時間しか行うことができない。本実施の形態においては、位置の検知が短時間でしか行うことができない場合、上記位置検知手段１２１は、実行手段１２３に文書管理キー１０４ａが押下されたことを通知する（図３、Ｓ３０２）。文書管理キー１０４ａが押下されたことが通知されると、上記実行手段１２３は、文書管理を行うための画面を上記表示パネル１０１に表示する（図３、Ｓ３０５）。尚、操作キーに対応する処理が、表示装置１００が実装されている画像処理装置が行う処理である場合は、上記実行手段１２３は、画像処理装置に処理の実行を依頼する。このように表示パネル１０１の押下を一瞬だけ行った場合は、上記位置検知手段１２１が特定した操作キーに対応する処理が指を離すと直ぐに実行される。
【００１９】
位置の検知が一定時間以上できた場合、文書管理キー１０４ａを特定すると、上記位置検知手段１２１は、特定した文書管理キー１０４ａを表示制御手段１２２に通知する。上記表示制御手段１２２は、第２の領域１０３に文書管理キー１０４ａを表示する（図３、Ｓ３０３）。本実施の形態においては、第２の領域１０３に表示された操作キーを見やすいようにするため、上記表示制御手段１２２は、第２の領域１０３に表示する操作キーを第１の領域に表示された操作キーよりも大きく表示する。
【００２０】
第２の領域１０３を見ることで、ユーザは、表示装置１００が押下されたと認識した操作キーが、自分の所望する操作キーであるか否かが分かる。
【００２１】
操作キーが小さく且つ操作キーの間隔が狭い場合、ユーザの所望する操作キーと異なる操作キーが第２の領域１０３に表示されることが発生し易い。
【００２２】
操作キーが小さく且つ操作キーの間隔が狭い場合、ユーザが文書管理キー１０４ａの表示された位置を指で押下しても、文書管理キー１０４ａとその隣のマシン初期設定キー１０４ｂが表示された位置を押下している場合がある。指で押下すると、押下された部分が一定の面積を有するので、上記位置検知手段１２１は、例えば押下された位置の中心位置と、各操作キーの位置情報に基づいて、押下された操作キーを特定する。このように押下された操作キーの特定に中心位置が用いられる場合に、中心位置がマシン初期設定キー１０４ｂの位置情報と一致するとき、上記位置検知手段１２１は、マシン初期設定キー１０４ｂが押下された操作キーであると特定する。上記位置検知手段１２１がマシン初期設定キー１０４ｂと特定した場合、上記第２の領域１０３にはマシン初期設定キー１０４ｂが表示される。
【００２３】
ユーザは、文書管理キー１０４aを押下したつもりのときに、マシン初期設定キー１０４ｂが表示された場合、指を上記表示パネル１０１上でスライドさせる。上記位置検知手段１２１は、常時押下された位置の検知を行い、検知した位置と上記位置情報に基づいて押下された操作キーを特定している。従って、指がスライドすると、上記位置検知手段１２１が検知する位置が移動し、特定される操作キーも変わる。上記位置検知手段１２１は、特定した操作キーが変わると、上記表示制御手段１２２に特定し直した操作キーを通知する。上記第２の領域１０３に所定の操作キーを表示しているときに上記位置検知手段１２１から操作キーの通知があると、上記表示制御手段１２２は、上記第２の領域１０３に表示する操作キーを通知された操作キーに変更する。
【００２４】
従って、上記のように文書管理キー１０４ａを押下したつもりのときに、第２の領域１０３にマシン初期設定キー１０４ｂが表示された場合、ユーザは、上記第２の領域１０３に文書管理キー１０４ａが表示されるまで、指を表示パネル１０１上でスライドさせる。文書管理キー１０４ａが第２の領域に表示されると、ユーザは、指を表示パネル１０１から離す。指が離されると、上記位置検知手段１２１は位置の検知ができなくなる。
【００２５】
位置の検知ができなくなると、上記位置検知手段１２１は、上記表示制御手段１２２に位置の検知ができなくなった旨を通知する（図３、Ｓ３０４）。位置の検知ができなくなった旨が通知されると、上記表示制御手段１２２は、上記第２の領域１０３に表示している文書管理キー１０４ａを上記実行手段１２３に通知する。文書管理キー１０４ａが通知されると、上記実行手段１２３は、上記のように文書管理キー１０４ａに対応する処理を実行する（図３、Ｓ３０５）。
【００２６】
以上のように、ユーザは、上記表示パネル１０１上を指をスライドさせながら上記位置検知手段１２１が特定した操作キーを確認することができるので、従来のように、表示パネル１０１を何度も押圧することなく、表示装置１００に所望する操作キーに対応する処理を実行させることができる。
【００２７】
上記ではユーザは表示パネル１０１から指を離すと、操作キーに対応する処理が自動的に実行される場合について説明したが、表示パネル１０１を押下した後に表示装置１００に設けられた決定キーをユーザが押下することによって、上記実行手段１２３が、上記表示制御手段１２２から通知された操作キーに対応する処理を実行するようにしてもよい。
【図面の簡単な説明】
【００２８】
【図１】本発明の表示装置のブロック図である。
【図２】表示パネルの模式図である。
【図３】操作キーに対応する処理が実行されるまでの手順を示すフローチャートである。
【符号の説明】
【００２９】
１００  表示装置
１０１  表示パネル
１０２  第１の領域
１０３  第２の領域
１２１  位置検知手段
１２２  表示制御手段
１２３  実行手段
【図１】
2005078342.tif 000003
【図２】
2005078342.tif 000004
【図３】
2005078342.tif 000005